【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
スタンドの係合部分を受け入れるよう構成された少なくとも１つのスタンド用ソケットを備えたカメラのための、カメラの前記スタンド用ソケットに結合可能なシステムであって、
第１のストラップと、
第１の部分及び第２の部分を備えた結合具とを有し、前記第１の結合具部分は、前記カメラの前記スタンド用ソケットに係合するような寸法形状のものであり、前記第２の結合部分は、前記第１のストラップに摺動可能に係合するような寸法形状のものであり、
前記第１の結合具部分は、第１の剛性取り付け部分と、前記第１の結合具部分の第１の剛性取り付け部分に直接係合する第２の剛性取り付け部分とを有し、
前記第１の結合具部分の第１の剛性取り付け部分は、前記カメラに取り付けられたとき、前記カメラが持ち上げられた写真撮影位置と下げられた搬送位置との間で移動されるときに、前記第１の結合具部分の第１の剛性取り付け部分が前記カメラに対して静止して保持されるように、前記カメラのスタンド用ソケットと係合解除可能に且つ剛性に直接係合するような寸法形状のものであり、
前記第２の結合具部分は、第１の剛性取り付け部分と、第２の剛性取り付け部分とを有し、前記第２の結合具部分の第１の剛性取り付け部分は、前記第１のストラップに摺動可能に係合し、前記第２の結合具部分の第２の剛性取り付け部分と前記第１の結合具部分の第２の剛性取り付け部分とは結合解除可能に互いに結合されている、
システム。
【請求項２】
第１の軸線を有する前記カメラのスタンド用ソケットにおいて用いるための請求項１のシステムであって、
前記第１の結合具部分の第１の剛性取り付け部分は、前記軸線と整合されて前記カメラのスタンド用ソケット中に位置決めすることができ、
前記第１の結合具部分の第２の剛性取り付け部分と、前記第２の結合具部分の第２の剛性取り付け部分は、前記第１の軸線周りの回転に限定されて互いに相対的に回転するために、回転可能に一緒に結合される、システム。
【請求項３】
前記第２の結合具部分の第１の剛性取り付け部分と前記第２の結合具部分の第２の剛性取り付け部分は、前記第１の軸線を横切る第２の軸線周りの回転に限定されて互いに相対的に回転するために、回転可能に一緒に結合される、請求項２に記載にシステム。
【請求項４】
前記第１の結合具部分の第２の剛性取り付け部分と前記第２の結合具部分の第２の剛性取り付け部分とは、回転可能に一緒に結合される、請求項１に記載のシステム。
【請求項５】
前記第２の結合具部分の第１の剛性取り付け部分は、前記第１の結合具部分の第１の剛性取り付け部分に対して回転可能である、請求項１に記載のシステム。
【請求項６】
前記第２の結合具部分の第１の剛性取り付け部分と前記第２の結合具部分の第２の剛性取り付け部分は、回転可能に一緒に結合される、請求項１に記載のシステム。
【請求項７】
前記第１の結合具部分の第１の剛性取り付け部分と前記第１の結合具部分の第２の剛性取り付け部分は、回転可能に一緒に結合される、請求項６に記載のシステム。
【請求項８】
前記第１の結合具部分の第１の剛性取り付け部分と前記第１の結合具部分の第２の剛性取り付け部分は、回転可能に一緒に結合される、請求項１に記載のシステム。
【請求項９】
前記第１の結合具部分の第２の剛性取り付け部分は、フックまたは係合ループの一方であり、前記第２の結合具部分の第２の剛性取り付け部分は、フックまたは係合ループの他方であり、前記フックは、前記係合ループに取り外し可能に形作られている、請求項１に記載のシステム。
【請求項１０】
前記第１の結合具部分の第２の剛性取り付け部分は、ボールロックピンまたはボールロックソケットの一方であり、前記第２の結合具部分の第２の剛性取り付け部分は、ボールロックピンまたはボールロックソケットの他方であり、前記ボールロックピンと前記ボールロックソケットは、結合解除可能に一緒に結合することができる、請求項１に記載のシステム。
【請求項１１】
前記第１の結合具部分の第２の剛性取り付け部分は、ロックピンまたはロックソケットの一方であり、前記第２の結合具部分の第２の剛性取り付け部分は、ロックピンまたはロックソケットの他方であり、前記ロックピンと前記ロックソケットは、結合解除可能に一緒に結合することができる、請求項１に記載のシステム。
【請求項１２】
前記第２の結合具部分は、前記第２の結合具部分の第１の剛性取り付け部分を前記第２の結合具部分の第２の剛性取り付け部分に曲げやすく結合する第２のストラップを含む、請求項１に記載のシステム。
【請求項１３】
前記第２の結合具部分の第１の剛性取り付け部分と前記第２の結合具部分の第２の剛性取り付け部分は、互いに直接接触する、請求項１に記載のシステム。
【請求項１４】
内部にねじ山が付いたスタンド用ソケットを有するカメラと用いるための請求項１のシステムであって、前記第１の結合具部分の第１の剛性取り付け部分は、前記カメラのねじ山付きスタンド用ソケット中に解除可能且つ螺合可能に受け入れられるような寸法形状のねじ山付きシャフトである、システム。
【請求項１５】
孔を備えた内部領域及び外部を有するエンクロージャと、
前記エンクロージャの外部にそれぞれ取り付けられている第１の端部分及び第２の端部分を備えたショルダストラップとを更に有し、前記ショルダストラップの前記第１の端部分のほうが、前記孔のより近くに取り付けられ、前記ショルダストラップの前記第２の端部分のほうは、前記孔からより遠くに取り付けられ、前記第１のストラップは、前記内部領域内で前記エンクロージャに取り付けられた第１の端部分を有する、請求項１記載のシステム。
【請求項１６】
前記第１のストラップは、前記ショルダストラップの前記第２の端部分に隣接して前記ショルダストラップに取り付けられた第２の端部分を有する、請求項１５記載のシステム。
【請求項１７】
前記エンクロージャは、前記孔を覆う覆いを更に有する、請求項１６記載のシステム。
【請求項１８】
前記第２の結合具部分は、前記第１の結合具部分に回転可能に結合できる、請求項１５に記載のシステム。
【請求項１９】
前記第１のストラップは、ループの状態に形成され、人間の胴にフィットするよう寸法決めされている、請求項１に記載のシステム。
【請求項２０】
前記第２の結合具部分の第１の剛性取り付け部分は、前記第１のストラップを挿通状態で受け入れるストラップループを含む、請求項１記載のシステム。
【請求項２１】
前記第１の結合具部分の第２の剛性取り付け部分は、係合ループを含み、第２の結合具部分の第２の剛性取り付け部分は、フックを含み、前記第２の結合具部分のフックは、前記第１の結合具部分の係合ループに係合するように形作られている、請求項２０に記載のシステム。
【請求項２２】
前記第２の結合具部分のストラップループと前記第２の結合具部分のフックは、回転可能に係合する、請求項２１に記載のシステム。
【請求項２３】
前記第１の結合具部分の係合ループは、前記第１の結合具部分の第１の剛性取り付け部分に回動可能に結合されている、請求項２１に記載のシステム。
【請求項２４】
孔を有する内部領域を有するエンクロージャを更に含み、
前記孔は、前記孔を通して前記カメラの通過を可能にするように寸法決めされる一方、前記第１の結合具部分は、前記カメラのスタンド用ソケットと係合し、前記第２の結合具部分は、前記第１のストラップと摺動可能に係合し、前記第２の結合具部分を前記第１のストラップに沿って前記孔に向かって摺動させ、次いで前記カメラを前記エンクロージャの内部領域内に位置決めするために、前記第１のストラップは、前記孔から間隔を隔てられて前記エンクロージャに取り付けられた第１の部分と前記孔に向かって延び且つ前記孔の十分近くを通る第２の部分を有する、請求項１に記載のシステム。
【請求項２５】
前記第１のストラップの第２の部分は、前記孔を通り、前記内部領域の内側で前記エンクロージャに取り付けられる、請求項２４に記載のシステム。
【請求項２６】
前記エンクロージャに取り付けられたショルダストラップを更に含む、請求項２４に記載のシステム。
【請求項２７】
スタンドの係合部分を受け入れるよう構成された少なくとも１つのスタンド用ソケットを有するカメラ用の、前記カメラのスタンド用ソケットと結合するためのシステムであって、
ショルダストラップと、
第１の結合具部分及び第２の結合具部分を備えた結合具であって、前記第１の結合具部分は、前記カメラのスタンド用ソケットに係合するような寸法形状のものであり、前記第２の結合具部分は、前記ストラップに摺動可能に係合するような寸法形状であり、前記第１の結合具部分は、一緒に剛性に結合された第１の剛性取り付け部分と第２の剛性取り付け部分とを有し、前記第１の結合具部分の第１の剛性取り付け部分は、前記カメラに取り付けられたとき、前記カメラが持ち上げられた写真撮影位置と下げられた搬送位置との間で移動されるときに、前記第１の結合具部分の第１の剛性取り付け部分が前記カメラに対して静止して保持されるように、前記カメラのスタンド用ソケットと係合解除可能且つ剛性に直接係合するような寸法形状のものであり、前記第２の結合具部分は、一緒に剛性に結合された第１の剛性取り付け部分と、第２の剛性取り付け部分とを有し、前記第２の結合具部分の第１の剛性取り付け部分は、前記ストラップに摺動可能に係合し、前記第２の結合具部分の第２の剛性取り付け部分と前記第１の結合具部分の第２の剛性取り付け部分とは一緒に剛性に結合され、前記第１の結合具部分の第１の剛性取り付け部分と第２の剛性取り付け部分と、前記第２の結合具部分の第１の剛性取り付け部分と第２の剛性取り付け部分とは、単一の一体部品として一緒に形成される、
システム。
【請求項２８】
少なくとも１つの係合部分を有し且つユーザによって運ばれるカメラのための、前記カメラの係合部分と結合するためのシステムであって、前記システムは、
第１の部分と第２の部分を有する細長いストラップを含み、前記ストラップの第１の部分は、ユーザの肩上に位置決めされ、且つユーザの肩から腰に向かって下方に延びるように寸法決めされており、
第１の部分と第２の部分を有する結合具を含み、前記結合具の第１の部分は、前記カメラの係合部分と係合するような寸法形状のものであり、前記結合具の第２の部分は、前記ストラップの第２の部分と摺動可能に係合し、且つ前記ストラップの第２の部分の長さに沿って摺動するような寸法形状のものであり、前記結合具の第２の部分は、ボールロックピンまたはボールロックソケットの一方を含み、前記結合具の第１の部分は、前記ボールロックピンまたはボールロックソケットの他方を含み、前記ボールロックピンは、前記ボールロックソケットと結合解除可能に結合することができる、
システム。
【請求項２９】
少なくとも１つの係合部分を有し且つユーザによって運ばれるカメラのための、前記カメラの係合部分と結合するためのシステムであって、前記システムは、
第１の部分と第２の部分を有する細長いストラップを含み、前記ストラップの第１の部分は、ユーザの肩上に位置決めされ、且つユーザの肩から腰に向かって下方に延びるように寸法決めされており、
第１の部分と第２の部分を有する結合具を含み、前記結合具の第１の部分は、前記カメラの係合部分と係合するような寸法形状のものであり、前記結合具の第２の部分は、前記ストラップの第２の部分と摺動可能に係合し、且つ前記ストラップの第２の部分の長さに沿って摺動するような寸法形状のものであり、前記結合具の第２の部分は、ロックピンまたはロックソケットの一方を含み、前記結合具の第１の部分は、前記ロックピンまたはロックソケットの他方を含み、前記ロックピンは、前記ロックソケットと結合解除可能に結合することができる、
システム。
【請求項３０】
少なくとも１つの係合部分を有し且つユーザによって運ばれるカメラのための、前記カメラの係合部分と結合するためのシステムであって、前記システムは、
第１の部分と第２の部分を有する細長いストラップを含み、前記ストラップの第１の部分は、ユーザの肩上に位置決めされ、且つユーザの肩からユーザの前側でユーザの腰に向かって下方に延びるように寸法決めされており、前記ストラップの第２の部分は、ユーザの前側で前記ストラップの第１の部分からユーザの腰に向かって下方に延びるように寸法決めされており、
第１の結合具部分と第２の結合具部分を有する結合具を含み、前記第１の結合具部分は、前記カメラの係合部分と係合するような寸法形状のものであり、前記第２の結合具部分は、前記ストラップの第２の部分と摺動可能に係合し、且つ前記ストラップの第２の部分の長さに沿って摺動するような寸法形状のものであり、前記第１の結合具部分は、第１の剛性取り付け部分と第２の剛性取り付け部分とを有し、前記第１の結合具部分の第１の剛性取り付け部分は、前記カメラの係合部分と係合解除可能に直接係合するような寸法形状のものであり、前記第１の結合具部分の第１の剛性取り付け部分と前記第１の結合具部分の第２の剛性取り付け部分は、互いに直接接触し、前記第２の結合具部分は、第１の剛性取り付け部分と第２の剛性取り付け部分を有し、前記第２の結合具部分の第１の剛性取り付け部分は、前記ストラップの第２の部分に摺動可能に係合し、前記第２の結合具部分の第１の剛性取り付け部分と前記第２の結合具部分の第２の剛性取り付け部分は、互いに直接接触し、前記第２の結合具部分の第２の剛性取り付け部分は、前記第２の結合具部分の第１の剛性取り付け部分と前記第１の結合具部分の第２の剛性取り付け部分との間に延び、前記第１の結合具部分の第２の剛性取り付け部分は、前記第１の結合具部分の第１の剛性取り付け部分と前記第２の結合具部分の第２の剛性取り付け部分との間に延び、前記第１の結合具部分の第２の剛性取り付け部分と前記第２の結合具部分の第２の剛性取り付け部分は、取り外し可能に一緒に結合され、一緒に結合されたとき、互いに直接接触する、
システム。
【請求項３１】
前記第１の結合具部分の第２の剛性取り付け部分と前記第２の結合具部分の第２の剛性取り付け部分は、回転可能に一緒に結合される、請求項３０に記載のシステム。
【請求項３２】
前記カメラの係合部分が取り付け軸線を有する場合に用いるための請求項３１のシステムであって、
前記第１の結合具部部分の第１の剛性取り付け部分が、前記カメラの係合部分と係合したとき、前記軸線と整合し、前記第１の結合具部分の第２の剛性取り付け部分と前記第２の結合具部分の第２の剛性取り付け部分は、前記軸線周りの回転に限定されて互いに相対的に回転するために、回転可能に一緒に結合される、システム。
【請求項３３】
前記第１の結合具部分の第２の剛性取り付け部分と前記第１の結合具部分の第１の剛性取り付け部分は、前記軸線を横切る別の軸線周りの回転に限定されて互いに相対的に回転するために、回転可能に一緒に結合される、請求項３２に記載にシステム。
【請求項３４】
前記第２の結合具部分の第１の剛性取り付け部分と前記第２の結合具部分の第２の剛性取り付け部分とは、回転可能に一緒に結合される、請求項３０に記載のシステム。
【請求項３５】
前記第１の結合具部分の第２の剛性取り付け部分は、剛性フックまたは剛性係合ループの一方であり、前記第２の結合具部分の第２の剛性取り付け部分は、前記剛性フックまたは剛性係合ループの他方であり、前記剛性フックは、前記剛性係合ループに取り外し可能に留まるような寸法形状のものである、請求項３０に記載のシステム。
【請求項３６】
前記第１の結合具部分の第２の剛性取り付け部分は、ロックピンまたはロックソケットの一方であり、前記第２の結合具部分の第２の剛性取り付け部分は、前記ロックピンまたはロックソケットの他方であり、前記ロックピンは、前記ロックソケットと結合解除可能に結合することができる、請求項３０に記載のシステム。
【請求項３７】
前記ロックピンは、ボールロックピンであり、前記ロックソケットは、ボールロックソケットである、請求項３６に記載のシステム。
【請求項３８】
少なくとも１つの係合部分を有し、且つユーザによって運ばれるカメラのための、前記カメラのスタンド用ソケットと結合するためのシステムであって、前記システムは、
第１の部分と第２の部分を有する細長いストラップを含み、前記ストラップの第１の部分は、ユーザの肩上に位置決めされ、且つユーザの肩からユーザの前側でユーザの腰に向かって下方に延びるように寸法決めされており、前記ストラップの第２の部分は、ユーザの前側で、前記ストラップの第１の部分からユーザの腰に向かって下方に延びるように寸法決めされており、
第１の部分と第２の部分を有する結合具を含み、前記第１の結合具部分は、前記カメラのスタンド用ソケットと係合するような寸法形状のものであり、前記第２の結合具部分は、前記ストラップの第２の部分と摺動可能に係合し、且つ前記ストラップの第２の部分の長さに沿って摺動するような寸法形状のものであり、前記第１の結合具部分は、第１の取り付け部分と第２の取り付け部分を有し、前記第１の結合具部分の第１の取り付け部分は、前記カメラに取り付けられたとき、前記カメラが持ち上げられた写真撮影位置と下げられた搬送位置との間で移動されるときに、前記第１の結合具部分の第１の取り付け部分の剛性部材が、前記カメラに対して静止して保持されるように、前記カメラのスタンド用ソケットと係合解除可能に且つ剛性に、直接係合するような寸法形状の剛性部材であり、前記第１の結合具部分の第２の取り付け部分は、剛性部材であり、前記第１の結合具部分の第１の取り付け部分の剛性部材と前記第１の結合具部分の第２の取り付け部分の剛性部材は、互いに直接接触し、第２の結合具部分は、第１の取り付け部分と第２の取り付け部分を有し、第２の結合具部分の第１の取り付け部分は、前記ストラップの第２の部分に摺動可能に係合し、且つ剛性部材であり、前記第２の結合具部分の第２の取り付け部分は、剛性部材であり、前記第２の結合具部分の第１の取り付け部分の剛性部材と前記第２の結合具部分の第２の取り付け部分の剛性部材は、互いに直接接触し、前記第１の結合具部分の第２の取り付け部分の剛性部材と前記第２の結合具部分の第２の取り付け部分の剛性部材は、取り外し可能に且つ回転可能に、一緒に結合され、一緒に結合されたとき、互いに直接接触する、
システム。
【請求項３９】
少なくとも１つの係合部分を有し、且つユーザによって運ばれるカメラのための、前記カメラの係合部分と結合するためのシステムであって、前記システムは、
第１の部分と第２の部分を有する細長いストラップを含み、前記ストラップの第１の部分は、ユーザの肩上に位置決めされ、且つユーザの肩から腰に向かって下方に延びるように寸法決めされており、
第１の部分と第２の部分を有する結合具を含み、前記第１の結合具部分は、前記カメラの係合部分と係合するような寸法形状のものであり、前記第２の結合具部分は、前記第１のストラップの第２の部分と摺動可能に係合し、且つ前記第１のストラップの第２の部分の長さに沿って摺動するような寸法形状のものであり、
孔を備えた内部領域及び外部を有するエンクロージャを含み、前記第１のストラップの第１の部分は、前記エンクロージャの外部に取り付けられた第１の端部分を有し、前記第１のストラップの第２の部分は、前記エンクロージャ内に前記カメラを位置決めするために前記エンクロージャの孔に向かって延び、
前記エンクロージャの外部にそれぞれ取り付けられている第１の端部分及び第２の端部分を備えたショルダストラップを有し、前記ショルダストラップの第２の端部分のほうが、前記孔のより近くに取り付けられ、前記ショルダストラップの第１の端部分のほうは、前記孔からより遠くに取り付けられる、
システム。
【請求項４０】
前記第１のストラップの第１の部分は、前記ショルダストラップの第１の端部分に隣接して前記ショルダストラップに取り付けられた第１の端部分を有する、請求項３９に記載のシステム。
【請求項４１】
スタンドの係合部分を受け入れるように各々構成された少なくとも１つの係合部分を有するカメラのための、前記カメラの係合部分と結合するためのシステムであって、前記システムは、
第１のストラップを有し、
第１の部分と第２の部分を有する結合具を有し、前記結合具の第１の部分は、前記カメラの係合部分と係合するような寸法形状のものであり、前記結合具の第２の部分は、前記第１のストラップと係合するような寸法形状のものであり、
孔を備えた内部領域と外部を有するエンクロージャを有し、
前記エンクロージャの外部にそれぞれ取り付けられた第１の端部分と第２の端部分を有するショルダストラップを有し、前記ショルダストラップの第１の端部分のほうが、前記孔のより近くに取り付けられ、前記ショルダストラップの第２の端部分のほうは、前記孔からより遠くに取り付けられ、前記第１のストラップは、前記内部領域の内側で前記エンクロージャに取り付けられた第１の端部分を有する、
システム。
【請求項４２】
前記結合具の第２の部分は、前記第１のストラップと摺動可能に係合するように構成されている、請求項４１に記載のシステム。
【請求項４３】
前記第１のストラップは、前記ショルダストラップの第２の端に隣接して前記ショルダストラップに取り付けられた第２の端を有する、請求項４２に記載のシステム。
【請求項４４】
前記エンクロージャは、前記孔を覆う覆いを更に含む、請求項４３に記載のシステム。
【請求項４５】
前記第１のストラップは、前記内部領域の内側以外に取り付けられた第２の端部分を有する、請求項４１に記載のシステム。
【請求項４６】
前記第１のストラップの第２の端部分は、前記ショルダストラップの第２の端に隣接した箇所で前記エンクロージャの外部に取り付けられる、請求項４５に記載のシステム。
【請求項４７】
方法であって、
第１の部分と第２の部分を有する細長いストラップを準備するステップを含み、前記ストラップの第１の部分は、ユーザの肩上に位置決めされ且つユーザの肩から腰に向かって下方に延びるように寸法決めされており、
前記ストラップの第１の部分をユーザの肩上に位置決めするステップを含み、
第１の結合具部分と第２の結合具部分を有する結合具を準備するステップを含み、前記第１の結合具部分は、カメラの係合部分と係合するような寸法形状のものであり、前記第２の結合具部分は、前記ストラップの第２の部分と摺動可能に係合し、且つ前記第１のストラップの第２の部分の長さに沿って摺動するような寸法形状のものであり、
係合部分を有するカメラを準備するステップを含み、
前記第１の結合具部分を前記カメラの係合部分に取り付けるステップを含み、
前記第１の結合具部分が前記カメラの係合部分に係合し、且つ前記第２の結合具部分が前記ストラップの第２の部分に摺動可能に係合した状態で、前記第２の結合具部分を前記第１のストラップの第２の部分に沿って摺動させて、前記カメラを前記第１のストラップの第２の部分に沿って、前記カメラの下げられた搬送位置に移動させるステップを含み、
ユーザの少なくとも１つの手で前記カメラを掴み、且つ、前記第１の結合具部分が前記カメラの係合部分に係合し、且つ前記第２の結合具部分が前記ストラップの第２の部分に摺動可能に係合した状態で、前記第２の結合具部分を前記第１のストラップの第２の部分に沿って摺動させて、前記カメラを前記ストラップの第２の部分に沿って、前記カメラの持ち上げられた撮影位置に移動させるステップを含み、
前記カメラを受け入れるように寸法決めされたエンクロージャを準備するステップを含み、
前記カメラを前記エンクロージャ内に位置決めするステップを含み、
前記エンクロージャをユーザの胴体の後ろに位置決めするステップを含み、
前記カメラがエンクロージャ内にあるとき、ユーザの少なくとも一方の手で、ユーザの胴体の後ろに手を伸ばして、前記エンクロージャ中に手を伸ばし、前記カメラを掴むステップを含み、
前記エンクロージャがユーザの胴体の後ろに配置されたままで、前記エンクロージャからカメラを引き出すステップを含み、
前記第１の結合具部分が前記カメラの係合部分に係合し、且つ前記第２の結合具部分が前記ストラップの第２の部分に摺動可能に係合した状態で、前記第２の結合具部分を前記ストラップの第２の部分に沿って摺動させて、前記カメラを前記ストラップの第２の部分に沿って、前記カメラの持ち上げられた撮影位置に移動させるステップを含む、
方法。
【請求項４８】
第１の部分と第２の部分を有する細長いストラップを準備するステップを含み、前記ストラップの第１の部分は、ユーザの肩上に位置決めされ、且つユーザの肩から腰に向かって下方に延びるように寸法決めされ、
前記ストラップの第１の部分をユーザの肩上に位置決めするステップを含み、
第１の部分と第２の部分を含む結合具を準備するステップを含み、前記第１の結合具部分は、カメラの係合部分と係合するような寸法形状のものであり、前記第２の結合具部分は、前記ストラップの第２の部分と摺動可能に係合し、且つ前記ストラップの第２の部分の長さに沿って摺動するような寸法形状のものであり、
係合部分を有するカメラを準備するステップを含み、
前記第１の結合具部分を前記カメラの係合部分に取り付けるステップを含み、
前記第１の結合具部分が前記カメラの係合部分に係合し、且つ前記第２の結合具部分が前記ストラップの第２の部分に摺動可能に係合した状態で、前記第２の結合具部分を前記ストラップの第２の部分に沿って摺動させて、前記カメラを前記ストラップの第２の部分に沿って、前記カメラの下げられた搬送位置に移動させるステップを含み、
前記第１の結合具部分が前記カメラの係合部分に係合し、且つ前記第２の結合具部分が前記ストラップの第２の部分に摺動可能に係合した状態で、前記第２の結合具部分を前記ストラップの第２の部分に沿って摺動させて、前記カメラを前記ストラップの第２の部分に沿って、前記カメラの持ち上げられた撮影位置に移動させるステップを含み、
前記カメラを受け入れるように寸法決めされたエンクロージャを準備するステップを含み、
前記カメラを前記エンクロージャ内に位置決めするステップを含み、
前記エンクロージャをユーザの胴体の後ろに位置決めするステップを含み、
前記カメラが前記エンクロージャ内にあるとき、ユーザの少なくとも一方の手で、ユーザの胴体の後ろに手を伸ばして、前記エンクロージャ中に手を伸ばし、前記カメラを掴むステップを含み、
前記エンクロージャがユーザの胴体の後ろに配置されたままで、前記カメラを前記エンクロージャから引き出すステップを含み、
前記第１の結合具部分が前記カメラの係合部分に係合し、且つ前記第２の結合具部分が前記ストラップの第２の部分に摺動可能に係合した状態で、前記第２の結合具部分を前記ストラップの第２の部分に沿って摺動させて、前記カメラを前記ストラップの第２の部分に沿って、前記カメラの持ち上げられた撮影位置に移動させるステップを含む、
方法。